(57)【要約】【課題】部数仕分けとジョブ仕分けとで、仕分け方法を異ならせた画像形成装置を得ること。【解決手段】複数の異なるジョブの画像を記録紙Ｐ１上に形成するとともに複数部数の画像を記録紙上に形成する画像形成部１３０と、これら画像形成された記録紙Ｐｓを排出する排紙部１５０と、排紙部から排出された記録紙を積載する排紙トレイ１５１と、を備える画像形成装置１００において、排紙トレイ上へ積載される記録紙の位置をシフトするシフトソートによりジョブ仕分けを行うジョブ仕分け手段２００と、排紙トレイ上へ積載される記録紙の向きを複数部数の各部毎に異ならせる向きソートにより部数仕分けを行う部数仕分け手段２００、１９０と、を備える。【選択図】図２
2007218962.tif 000002
【特許請求の範囲】
【請求項１】
複数の異なるジョブの画像を記録紙上に形成するとともに複数部数の画像を記録紙上に形成する画像形成部と、これら画像形成された記録紙を排出する排紙部と、排紙部から排出された記録紙を積載する排紙トレイと、を備える画像形成装置において、
排紙トレイ上へ積載される記録紙の位置をシフトするシフトソートによりジョブ仕分けを行うジョブ仕分け手段と、
排紙トレイ上へ積載される記録紙の向きを複数部数の各部毎に異ならせる向きソートにより部数仕分けを行う部数仕分け手段と、
を備えることを特徴とする画像形成装置。
【請求項２】
前記部数仕分け手段が、前記各部毎に記録紙への形成画像を１８０°回転させるよう前記画像形成部を制御する制御部を備えることを特徴とする請求項１記載の画像形成装置。
【請求項３】
前記部数仕分け手段は、
前記画像形成部で画像形成された記録紙を表裏反転させて前記排紙部から排出する反転搬送部と、
前記各部毎に、前記反転搬送部を経由させずに前記排紙部から記録紙を排出させる第１の搬送制御と、前記反転搬送部を経由させて前記排紙部から記録紙を排出させる第２の搬送制御とを交互に切換える制御部とを備え、前期排紙トレイ上における画像形成面の向きを下向きと上向きとに切換えることを特徴とする請求項１記載の画像形成装置。
【請求項４】
前記反転搬送部が、前記排紙部に到達した記録紙を記録紙後端部を前にして再び排紙部まで搬送して表裏反転させるループ状の反転搬送部であることを特徴とする請求項３記載の画像形成装置。
【請求項５】
前記ジョブ仕分け手段が、前記各ジョブの画像形成された記録紙の最終ページ又は先頭ページの前記排紙トレイへの排出位置を、他のページの排出位置より排紙方向にシフトして積載させるよう前記排紙部の排出速度を切換え制御する制御部を備えることを特徴とする請求項１記載の画像形成装置。
【請求項６】
前記ジョブ仕分け手段が、
前記排紙部から排出される画像形成された記録紙を左右にシフトソートする左右シフト装置と、
前記各ジョブの画像形成された記録紙の最終ページ又は先頭ページの前記排紙トレイへの排出位置を、他のページの排出位置より左又は右にシフトして積載させるよう前記左右シフト装置を制御する制御部と、
を備えることを特徴とする請求項１記載の画像形成装置。
【請求項７】
前記ジョブ仕分け手段が、前記各ジョブの画像形成された記録紙を各ジョブ毎に排紙方向の上流側と下流側とに交互にシフトして積載させるよう前記排紙部の排出速度を切換え制御する制御部を備えることを特徴とする請求項１記載の画像形成装置。
【請求項８】
前記ジョブ仕分け手段が、
前記排紙部から排出される画像形成された記録紙を左右にシフトソートする左右シフト装置と、
前記各ジョブの画像形成された記録紙を各ジョブ毎に左右にシフトして積載させるよう前記左右シフト装置を制御する制御部を備えることを特徴とする請求項１記載の画像形成装置。
【請求項９】
前記ジョブ仕分け手段が、
前記排紙部から排出される画像形成された記録紙を左右にシフトソートする左右シフト装置と、
前記各ジョブの画像形成された記録紙を各ジョブ毎に左右にシフトして積載させるよう前記左右シフト装置を制御するとともに、奇数ジョブ内の各ジョブ毎に記録紙への形成画像を１８０°回転させ、偶数ジョブ内の各ジョブ毎に記録紙への形成画像を１８０°回転させるよう前記画像形成部を制御する制御部と、
を備え、ジョブ仕分けを左右シフト及び１８０°画像回転の双方を用いて行うようにしたことを特徴とする請求項１記載の画像形成装置。
【請求項１０】
前記ジョブ仕分け手段が、前記各ジョブの画像形成された記録紙を各ジョブ毎に排紙方向の上流側と下流側とに交互にシフトして積載させるよう前記排紙部の排出速度を切換え制御するとともに、奇数ジョブ内の各ジョブ毎に記録紙への形成画像を１８０°回転させ、偶数ジョブ内の各ジョブ毎に記録紙への形成画像を１８０°回転させるよう前記画像形成部を制御する制御部を備え、ジョブ仕分けを上流・下流シフト及び１８０°画像回転の双方を用いて行うようにしたことを特徴とする請求項１記載の画像形成装置。
【請求項１１】
前記ジョブ仕分け手段が、
前記排紙部から排出される画像形成された記録紙を左右にシフトソートする左右シフト装置と、
前記画像形成部で画像形成された記録紙を表裏反転させて前記排紙部から排出する反転搬送部と、
前記各ジョブの画像形成された記録紙を各ジョブ毎に左右にシフトして積載させるよう前記左右シフト装置を制御するとともに、奇数ジョブ内の各ジョブ毎に前記反転搬送部を経由させずに排紙部から記録紙を排出させる第１の搬送制御と、前記反転搬送部を経由させて前記排紙部から記録紙を排出させる第２の搬送制御とを切換え、偶数ジョブ内の各ジョブ毎に前記反転搬送部を経由させずに排紙部から記録紙を排出させる第１の搬送制御と、前記反転搬送部を経由させて前記排紙部から記録紙を排出させる第２の搬送制御とを切換える制御部と、
を備え、ジョブ仕分けを左右シフト及び表裏画像回転の双方を用いて行うようにしたことを特徴とする請求項１記載の画像形成装置。
【請求項１２】
前記ジョブ仕分け手段が、
前記画像形成部で画像形成された記録紙を表裏反転させて前記排紙部から排出する反転搬送部と、
前記各ジョブの画像形成された記録紙を各ジョブ毎に排紙方向の上流側と下流側とに交互にシフトして積載させるよう前記排紙部の排出速度を切換え制御するとともに、奇数ジョブ内の各ジョブ毎に前記反転搬送部を経由させずに排紙部から記録紙を排出させる第１の搬送制御と、前記反転搬送部を経由させて前記排紙部から記録紙を排出させる第２の搬送制御とを切換え、偶数ジョブ内の各ジョブ毎に前記反転搬送部を経由させずに排紙部から記録紙を排出させる第１の搬送制御と、前記反転搬送部を経由させて前記排紙部から記録紙を排出させる第２の搬送制御とを切換える制御部と、
を備え、ジョブ仕分けを上流・下流シフト及び表裏画像回転の双方を用いて行うようにしたことを特徴とする請求項１記載の画像形成装置。
【請求項１３】
通常の記録紙の他に該通常の記録紙とは外観の異なる記録紙を収容する給紙部を更に備え、
前記ジョブ仕分け手段は、複数のジョブの内、特定のジョブの画像形成を行なうときは、前記給紙部から外観の異なる記録紙を前記画像形成部に給紙するよう前記給紙部を制御することを特徴とする請求項１〜１２の何れか一つに記載の画像形成装置。
【請求項１４】
前記外観の異なる記録紙が、コーナーカット紙であることを特徴とする請求項１３記載の画像形成装置。
【請求項１５】
前記ジョブ仕分け手段は、複数のジョブの内、特定のジョブの画像形成を行なうときは、前記特定のジョブの画像形成面全面に、薄色の背景画像を形成し、該背景画像上に前記特定のジョブの画像を合成して画像形成するよう前記画像形成部を制御することを特徴とする請求項１〜１２の何れか一つに記載の画像形成装置。
【請求項１６】
前記ジョブ仕分け手段は、複数のジョブの内、特定のジョブの画像形成を行なうときは、前記特定のジョブの画像形成面の一部に、識別マークを画像形成するよう前記画像形成部を制御することを特徴とする請求項１〜１２の何れか一つに記載の画像形成装置。
【請求項１７】
複数の異なるジョブの画像を記録紙上に形成するとともに複数部数の画像を記録紙上に形成する画像形成部と、これら画像形成された記録紙を排出する排紙部と、排紙部から排出された記録紙を積載する排紙トレイと、を備える画像形成装置において、
排紙トレイ上へ積載される複数ジョブの内、特定のジョブの記録紙の位置をシフトするシフトソートにより特定ジョブ仕分けを行う特定ジョブ仕分け手段と、
排紙トレイ上へ積載される記録紙の向きを複数部数の各部毎に異ならせる向きソートにより部数仕分けを行う部数仕分け手段と、
を備えることを特徴とする画像形成装置。
【請求項１８】
複数の異なるジョブの画像を記録紙上に形成するとともに複数部数の画像を記録紙上に形成する画像形成部と、これら画像形成された記録紙を排出する排紙部と、排紙部から排出された記録紙を積載する排紙トレイと、を備える画像形成装置において、
排紙トレイ上へ積載される複数ジョブの内、特定のジョブの記録紙の位置をシフトするシフトソートにより特定ジョブ仕分けを行う特定ジョブ仕分け手段と、
前記特定のジョブ同士及び特定のジョブ以外のジョブ同士で、各ジョブ毎に記録紙への形成画像を１８０°回転させるよう前記画像形成部を制御する制御部と、
を備えることを特徴とする画像形成装置。
【請求項１９】
前記画像形成済の記録紙を表裏反転させて前記排紙部から排出させる反転搬送部を更に備え、
前記制御部は、前記特定のジョブ又は特定のジョブ以外のジョブが複数部数で成るとき、各部毎に、前記反転搬送部を経由させずに排紙部から記録紙を排出させる第１の搬送制御と、前記反転搬送部を経由させて前記排紙部から記録紙を排出させる第２の搬送制御とを交互に切換えることを特徴とする請求項１８記載の画像形成装置。
【請求項２０】
複数の異なるジョブの画像を記録紙上に形成するとともに複数部数の画像を記録紙上に形成する画像形成部と、これら画像形成された記録紙を排出する排紙部と、排紙部から排出された記録紙を積載する排紙トレイと、を備える画像形成装置において、
排紙トレイ上へ積載される複数ジョブの内、特定のジョブの記録紙の位置をシフトするシフトソートにより特定ジョブ仕分けを行う特定ジョブ仕分け手段と、
前記画像形成済の記録紙を表裏反転させて前記排紙部から排出させる反転搬送部と、前記特定のジョブ同士及び特定のジョブ以外のジョブ同士で、各ジョブ毎に、前記反転搬送部を経由させずに前記排紙部から記録紙を排出させる第１の搬送制御と、前記反転搬送部を経由させて前記排紙部から記録紙を排出させる第２の搬送制御とを交互に切換える制御部とを備え、前期排紙トレイ上における画像形成面の向きを下向きと上向きとに切換えることを特徴とする画像形成装置。
【請求項２１】
前記制御部は、前記特定のジョブ又は特定のジョブ以外のジョブが複数部数で成るとき、各部毎に、記録紙への形成画像を１８０°回転させるよう前記画像形成部を制御することを特徴とする請求項２０記載の画像形成装置。
【請求項２２】
前記特定のジョブが、ファクシミリ出力であることを特徴とする請求項１３〜２０のいずれか一つに記載の画像形成装置。
【請求項２３】
複数の異なるジョブの画像を記録紙上に形成するとともに複数部数の画像を記録紙上に形成する画像形成部と、これら画像形成された記録紙を排出する排紙部と、排紙部から排出された記録紙を積載する排紙トレイと、を備える画像形成装置において、
前記排紙トレイ上へ積載される記録紙の位置をシフトするシフトソート手段を備え、前記シフトソート手段は、ジョブ仕分けのみを行う手段であることを特徴とする画像形成装置。
【発明の詳細な説明】
【技術分野】
【０００１】
本発明は、電子写真方式、静電記録方式、インクジェット方式、イオノグラフィー方式又は磁気記録方式等の画像形成方式を用いた白黒又はカラーの複写機、プリンタ、ファクシミリ、又は、これらを複合した機能を有するデジタル複合機等の画像形成装置に関する。
【背景技術】
【０００２】
近年、画像形成装置がデジタル化され、１台の画像形成装置で、複写機、プリンタ、ファクシミリ等の複数の機能を持つデジタル複合機が実用化されている。また、このようなデジタル複合機は、ネットワーク接続により複数のパソコンが共用することができる。
【０００３】
上記のようなデジタル複合機では、複数の異なる機能によって画像が形成された記録紙が、全て同じ排紙トレイ上に排出され、また、複数のパソコンからのプリント出力も同じ排紙トレイ上に排出される。
【０００４】
このため、排紙トレイ上に排出され積載された記録紙の内、どの記録紙がどの機能によって、また、どのパソコンから出力されたものであるかを一見して識別することが難しく、オペレータが記録紙に形成された画像内容を見て、それぞれを判別して仕分けするという煩雑な作業が必要であった。
【０００５】
そこで、このような仕分け作業を容易にするために、プリンタ出力の場合には記録紙を縦送りし、ファクシミリ出力の場合には記録紙を横送りして仕分けする縦横ソート方法や、記録紙を排出するときに裏表反転させることができる記録紙反転装置を設け、プリンタ出力の場合は画像形成面（表面）を上向きにして排紙し、ファクシミリ出力の場合には画像形成面を下向きにして排紙して仕分けする表裏ソート方法や、記録紙を排出するときに記録紙の左右方向（幅方向）の排出位置を変えることのできる左右シフト装置としてのドギーテイル装置を設け、ファクシミリ出力の場合には右寄せ排紙し、プリントタ出力の場合には左寄せに排紙して仕分けするシフトソート方法や、一般に１ジョブと称される一群の画像情報に係る印刷出力毎に記録紙上の異なる位置に識別マークを印刷し、記録紙のジョブ毎の識別を容易にする識別マーク印刷方法等が提案されている（例えば、特許文献１参照）。
【０００６】
また、大型の画像形成装置においては、複数の排紙トレイを設けて異なるジョブ毎の排紙を異なる排紙トレイに排出することも行われている。
【特許文献１】特開平８−８３０２２号公報
【発明の開示】
【発明が解決しようとする課題】
【０００７】
しかしながら、コピー機能を使用するときには複数ページの原稿を複数部数コピーすることがあり、また、プリント機能を使用するときにも記録紙複数ページに亘るデータを複数部数プリントすることがある。
【０００８】
上記の従来の画像形成装置においては、このような複数部数出力の場合に、各部数毎の仕分けを行うためにも上記の各種ソート方法を用いており、ソートを行うか否かの判断が各オペレータにゆだねられているために、仕分けの区分が多くなりすぎたり、仕分けされていない出力があったりして、結果としてジョブの仕分けが有効に行なわれず、オペレータの画像内容確認による仕分け作業を行なわざるを得ないという問題があった。
【０００９】
上記のような問題を解決するにあたり、一群の画像情報に係る印刷出力であるジョブと他のジョブとの仕分け（以下、「ジョブ仕分け」という。）と、複数ページ原稿の複数部数コピーあるいは複数ページデータの複数部数プリントにおける各部数毎の仕分け（以下、「部数仕分け」という。）の使用上の差異に着目した。
【００１０】
複数部数コピーや複数部数プリントを行うのは、通常、同一のオペレータであり、各部数毎の区分は必要であるが、各部数毎に縦横ソートするなどして、排紙位置を異ならせて複数部数毎の記録紙を空間的に散らばらせると、記録紙の取出しがかえって面倒になる。
【００１１】
一方、一群の画像情報に係る印刷出力であるジョブと他のジョブでは、通常、ジョブ毎にオペレータが異なるので、ジョブ毎に排紙位置を異ならせてジョブ仕分けした方が、オペレータ毎に自分が出力した記録紙を識別しやすく、排紙トレイからの取出しが容易になる。
【００１２】
以上説明したように、部数仕分けとジョブ仕分けとで、仕分け方法を異ならせるのが好ましい。本発明は、このような知見に基づいて成されたものであって、部数仕分けとジョブ仕分けとで、仕分け方法を異ならせた画像形成装置を得ることを目的とする。
【課題を解決するための手段】
【００１３】
上述した課題を解決し、目的を達成するために、本発明の画像形成装置は、複数の異なるジョブの画像を記録紙上に形成するとともに複数部数の画像を記録紙上に形成する画像形成部と、これら画像形成された記録紙を排出する排紙部と、排紙部から排出された記録紙を積載する排紙トレイと、を備える画像形成装置において、排紙トレイ上へ積載される記録紙の位置をシフトするシフトソートによりジョブ仕分けを行うジョブ仕分け手段と、排紙トレイ上へ積載される記録紙の向きを複数部数の各部毎に異ならせる向きソートにより部数仕分けを行う部数仕分け手段と、を備えることを特徴とする。
【発明の効果】
【００１４】
本発明によれば、ジョブ仕分けと部数仕分けとで、仕分け方法を異ならせることができるので、画像形成装置を複数のオペレータが使用する場合においても、排紙トレイ上に積載された記録紙の中から、自分が必要とする記録紙を容易に識別して取り出すことが可能な画像形成装置が得られる。
【発明を実施するための最良の形態】
【００１５】
請求項１記載の発明は、複数の異なるジョブの画像を記録紙上に形成するとともに複数部数の画像を記録紙上に形成する画像形成部と、これら画像形成された記録紙を排出する排紙部と、排紙部から排出された記録紙を積載する排紙トレイと、を備える画像形成装置において、排紙トレイ上へ積載される記録紙の位置をシフトするシフトソートによりジョブ仕分けを行うジョブ仕分け手段と、排紙トレイ上へ積載される記録紙の向きを複数部数の各部毎に異ならせる向きソートにより部数仕分けを行う部数仕分け手段と、を備えることを特徴とする画像形成装置であり、排紙トレイ上へのシフトソートによりジョブ仕分けを行ない、形成画像の向きを異ならせることにより部数仕分けを行なう。
【００１６】
請求項２記載の発明は、前記部数仕分け手段が、前記各部毎に記録紙への形成画像を１８０°回転させるよう前記画像形成部を制御する制御部を備えることを特徴とする請求項１記載の画像形成装置であり、記録紙への形成画像を奇数部と偶数部とで互いに１８０°回転させる。
【００１７】
請求項３記載の発明は、前記部数仕分け手段は、前記画像形成部で画像形成された記録紙を表裏反転させて前記排紙部から排出する反転搬送部と、前記各部毎に、前記反転搬送部を経由させずに前記排紙部から記録紙を排出させる第１の搬送制御と、前記反転搬送部を経由させて前記排紙部から記録紙を排出させる第２の搬送制御とを交互に切換える制御部とを備え、前期排紙トレイ上における画像形成面の向きを下向きと上向きとに切換えることを特徴とする請求項１記載の画像形成装置であり、俳紙トレイ上における画像形成面の向きを奇数部と偶数部とで下向きと上向きとに切換える。
【００１８】
請求項４記載の発明は、前記反転搬送部が、前記排紙部に到達した記録紙を記録紙後端部を前にして再び排紙部まで搬送して表裏反転させるループ状の反転搬送部であることを特徴とする請求項３記載の画像形成装置であり、排紙部に到達した記録紙を記録紙後端部を前にして再び排紙部まで搬送して表裏反転させる。
【００１９】
請求項５記載の発明は、前記ジョブ仕分け手段が、前記各ジョブの画像形成された記録紙の最終ページ又は先頭ページの前記排紙トレイへの排出位置を、他のページの排出位置より排紙方向にシフトして積載させるよう前記排紙部の排出速度を切換え制御する制御部を備えることを特徴とする請求項１記載の画像形成装置であり、各ジョブの画像形成された記録紙の最終ページ又は先頭ページの前記排紙トレイへの排出位置を、他のページの排出位置より排紙方向にシフトして積載させる。
【００２０】
請求項６記載の発明は、前記ジョブ仕分け手段が、前記排紙部から排出される画像形成された記録紙を左右にシフトソートする左右シフト装置と、前記各ジョブの画像形成された記録紙の最終ページ又は先頭ページの前記排紙トレイへの排出位置を、他のページの排出位置より左又は右にシフトして積載させるよう前記左右シフト装置を制御する制御部と、を備えることを特徴とする請求項１記載の画像形成装置であり、各ジョブの画像形成された記録紙の最終ページ又は先頭ページの前記排紙トレイへの排出位置を、他のページの排出位置より左又は右にシフトして積載させる。
【００２１】
請求項７記載の発明は、前記ジョブ仕分け手段が、前記各ジョブの画像形成された記録紙を各ジョブ毎に排紙方向の上流側と下流側とに交互にシフトして積載させるよう前記排紙部の排出速度を切換え制御する制御部を備えることを特徴とする請求項１記載の画像形成装置であり、各ジョブの画像形成済の記録紙を各ジョブ毎に交互に排紙方向の上流側と下流側とにシフトして積載させる。
【００２２】
請求項８記載の発明は、前記ジョブ仕分け手段が、前記排紙部から排出される画像形成された記録紙を左右にシフトソートする左右シフト装置と、前記各ジョブの画像形成された記録紙を各ジョブ毎に左右にシフトして積載させるよう前記左右シフト装置を制御する制御部を備えることを特徴とする請求項１記載の画像形成装置であり、各ジョブの画像形成済の記録紙を各ジョブ毎に左右にシフトして積載させる。
【００２３】
請求項９記載の発明は、前記ジョブ仕分け手段が、前記排紙部から排出される画像形成された記録紙を左右にシフトソートする左右シフト装置と、前記各ジョブの画像形成された記録紙を各ジョブ毎に左右にシフトして積載させるよう前記左右シフト装置を制御するとともに、奇数ジョブ内の各ジョブ毎に記録紙への形成画像を１８０°回転させ、偶数ジョブ内の各ジョブ毎に記録紙への形成画像を１８０°回転させるよう前記画像形成部を制御する制御部と、を備え、ジョブ仕分けを左右シフト及び１８０°画像回転の双方を用いて行うようにしたことを特徴とする請求項１記載の画像形成装置であり、前記各ジョブの画像形成された記録紙を各ジョブ毎に左右にシフトして積載させるとともに、奇数ジョブ内の各ジョブ毎に記録紙への形成画像を１８０°回転させ、偶数ジョブ内の各ジョブ毎に記録紙への形成画像を１８０°回転させる。
【００２４】
請求項１０記載の発明は、前記ジョブ仕分け手段が、前記各ジョブの画像形成された記録紙を各ジョブ毎に排紙方向の上流側と下流側とに交互にシフトして積載させるよう前記排紙部の排出速度を切換え制御するとともに、奇数ジョブ内の各ジョブ毎に記録紙への形成画像を１８０°回転させ、偶数ジョブ内の各ジョブ毎に記録紙への形成画像を１８０°回転させるよう前記画像形成部を制御する制御部を備え、ジョブ仕分けを上流・下流シフト及び１８０°画像回転の双方を用いて行うようにしたことを特徴とする請求項１記載の画像形成装置であり、前記各ジョブの画像形成された記録紙を各ジョブ毎に上流・下流にシフトして積載させるとともに、奇数ジョブ内の各ジョブ毎に記録紙への形成画像を１８０°回転させ、偶数ジョブ内の各ジョブ毎に記録紙への形成画像を１８０°回転させる。
【００２５】
請求項１１記載の発明は、前記ジョブ仕分け手段が、前記排紙部から排出される画像形成された記録紙を左右にシフトソートする左右シフト装置と、前記画像形成部で画像形成された記録紙を表裏反転させて前記排紙部から排出する反転搬送部と、前記各ジョブの画像形成された記録紙を各ジョブ毎に左右にシフトして積載させるよう前記左右シフト装置を制御するとともに、奇数ジョブ内の各ジョブ毎に前記反転搬送部を経由させずに排紙部から記録紙を排出させる第１の搬送制御と、前記反転搬送部を経由させて前記排紙部から記録紙を排出させる第２の搬送制御とを切換え、偶数ジョブ内の各ジョブ毎に前記反転搬送部を経由させずに排紙部から記録紙を排出させる第１の搬送制御と、前記反転搬送部を経由させて前記排紙部から記録紙を排出させる第２の搬送制御とを切換える制御部と、を備え、ジョブ仕分けを左右シフト及び表裏画像回転の双方を用いて行うようにしたことを特徴とする請求項１記載の画像形成装置であり、ジョブ仕分けを左右シフト及び表裏画像回転の双方を用いて行う。
【００２６】
請求項１２記載の発明は、前記ジョブ仕分け手段が、前記画像形成部で画像形成された記録紙を表裏反転させて前記排紙部から排出する反転搬送部と、前記各ジョブの画像形成された記録紙を各ジョブ毎に排紙方向の上流側と下流側とに交互にシフトして積載させるよう前記排紙部の排出速度を切換え制御するとともに、奇数ジョブ内の各ジョブ毎に前記反転搬送部を経由させずに排紙部から記録紙を排出させる第１の搬送制御と、前記反転搬送部を経由させて前記排紙部から記録紙を排出させる第２の搬送制御とを切換え、偶数ジョブ内の各ジョブ毎に前記反転搬送部を経由させずに排紙部から記録紙を排出させる第１の搬送制御と、前記反転搬送部を経由させて前記排紙部から記録紙を排出させる第２の搬送制御とを切換える制御部と、を備え、ジョブ仕分けを上流・下流シフト及び表裏画像回転の双方を用いて行うようにしたことを特徴とする請求項１記載の画像形成装置であり、ジョブ仕分けを上流・下流シフト及び表裏画像回転の双方を用いて行う
請求項１３記載の発明は、通常の記録紙の他に該通常の記録紙とは外観が異なる記録紙を収容する給紙部を更に備え、前記ジョブ仕分け手段は、複数のジョブの内、特定のジョブの画像形成を行なうときは、前記給紙部から色が異なる記録紙を前記画像形成部に給紙するよう前記給紙部を制御することを特徴とする請求項１〜１２の何れか一つに記載の画像形成装置であり、特定のジョブの記録紙の外観を変える。
【００２７】
請求項１４記載の発明は、前記外観の異なる記録紙が、コーナーカット紙であることを特徴とする請求項１３記載の画像形成装置であり、特定のジョブをコーナーカット紙に画像形成する。
【００２８】
請求項１５記載の発明は、前記ジョブ仕分け手段は、複数のジョブの内、特定のジョブの画像形成を行なうときは、前記特定のジョブの画像形成面全面に、薄色の背景画像を形成し、該背景画像上に前記特定のジョブの画像を合成して画像形成するよう前記画像形成部を制御することを特徴とする請求項１〜１２の何れか一つに記載の画像形成装置であり、特定のジョブの画像形成面全面に、薄色の背景画像を該ジョブの画像と合成して画像形成する。
【００２９】
請求項１６記載の発明は、前記ジョブ仕分け手段は、複数のジョブの内、特定のジョブの画像形成を行なうときは、前記特定のジョブの画像形成面の一部に、識別マークを画像形成するよう前記画像形成部を制御することを特徴とする請求項１〜１２の何れか一つに記載の画像形成装置であり、特定のジョブの記録紙に識別マークを画像形成する。
【００３０】
請求項１７記載の発明は、複数の異なるジョブの画像を記録紙上に形成するとともに複数部数の画像を記録紙上に形成する画像形成部と、これら画像形成された記録紙を排出する排紙部と、排紙部から排出された記録紙を積載する排紙トレイと、を備える画像形成装置において、排紙トレイ上へ積載される複数ジョブの内、特定のジョブの記録紙の位置をシフトするシフトソートにより特定ジョブ仕分けを行う特定ジョブ仕分け手段と、排紙トレイ上へ積載される記録紙の向きを複数部数の各部毎に異ならせる向きソートにより部数仕分けを行う部数仕分け手段と、を備えることを特徴とする画像形成装置であり、排紙トレイ上へのシフトソートにより特定ジョブ仕分けを行ない、形成画像の向きを異ならせることにより部数仕分けを行なう。
【００３１】
請求項１８記載の発明は、複数の異なるジョブの画像を記録紙上に形成するとともに複数部数の画像を記録紙上に形成する画像形成部と、これら画像形成された記録紙を排出する排紙部と、排紙部から排出された記録紙を積載する排紙トレイと、を備える画像形成装置において、排紙トレイ上へ積載される複数ジョブの内、特定のジョブの記録紙の位置をシフトするシフトソートにより特定ジョブ仕分けを行う特定ジョブ仕分け手段と、前記特定のジョブ同士及び特定のジョブ以外のジョブ同士で、各ジョブ毎に記録紙への形成画像を１８０°回転させるよう前記画像形成部を制御する制御部と、を備えることを特徴とする画像形成装置であり、排紙トレイ上へのシフトソートにより特定ジョブ仕分けを行ない、同一位置の上下に積載されたジョブ同士の形成画像の向きを１８０°回転させることによりジョブ仕分けを行なう。
【００３２】
請求項１９記載の発明は、前記画像形成済の記録紙を表裏反転させて前記排紙部から排出させる反転搬送部を更に備え、前記制御部は、前記特定のジョブ又は特定のジョブ以外のジョブが複数部数で成るとき、各部毎に、前記反転搬送部を経由させずに排紙部から記録紙を排出させる第１の搬送制御と、前記反転搬送部を経由させて前記排紙部から記録紙を排出させる第２の搬送制御とを交互に切換えることを特徴とする請求項１８記載の画像形成装置であり、部数仕分けを表裏画像回転により行なう。
【００３３】
請求項２０記載の発明は、複数の異なるジョブの画像を記録紙上に形成するとともに複数部数の画像を記録紙上に形成する画像形成部と、これら画像形成された記録紙を排出する排紙部と、排紙部から排出された記録紙を積載する排紙トレイと、を備える画像形成装置において、排紙トレイ上へ積載される複数ジョブの内、特定のジョブの記録紙の位置をシフトするシフトソートにより特定ジョブ仕分けを行う特定ジョブ仕分け手段と、前記画像形成済の記録紙を表裏反転させて前記排紙部から排出させる反転搬送部と、前記特定のジョブ同士及び特定のジョブ以外のジョブ同士で、各ジョブ毎に、前記反転搬送部を経由させずに前記排紙部から記録紙を排出させる第１の搬送制御と、前記反転搬送部を経由させて前記排紙部から記録紙を排出させる第２の搬送制御とを交互に切換える制御部とを備え、前期排紙トレイ上における画像形成面の向きを下向きと上向きとに切換えることを特徴とする画像形成装置であり、同一位置の上下に積載されたジョブ同士のジョブ仕分けを表裏画像回転により行なう。
【００３４】
請求項２１記載の発明は、前記制御部は、前記特定のジョブ又は特定のジョブ以外のジョブが複数部数で成るとき、各部毎に、記録紙への形成画像を１８０°回転させるよう前記画像形成部を制御することを特徴とする請求項２０記載の画像形成装置であり、部数仕分けを１８０°画像回転により行なう。
【００３５】
請求項２２記載の発明は、前記特定のジョブが、ファクシミリ出力であることを特徴とする請求項１３〜２０のいずれか一つに記載の画像形成装置であり、ファクシミリ出力が他の出力とジョブ仕分けされる。
【００３６】
請求項２３記載の発明は、複数の異なるジョブの画像を記録紙上に形成するとともに複数部数の画像を記録紙上に形成する画像形成部と、これら画像形成された記録紙を排出する排紙部と、排紙部から排出された記録紙を積載する排紙トレイと、を備える画像形成装置において、前記排紙トレイ上へ積載される記録紙の位置をシフトするシフトソート手段を備え、前記シフトソート手段は、ジョブ仕分けのみを行なう手段であることを特徴とする画像形成装置であり、シフトソート手段は、部数仕分けを行わない。
【００３７】
以下、本発明の実施の形態について、図面を参照して詳細に説明する。なお、各図において同一又は同等のものには、同一の符号を付してその説明は繰り返さない。
（実施の形態１）
実施の形態１の画像形成装置は、紙文書やブック原稿などを複写するコピー機能、パソコン等から送信される電子データ等をプリントアウトするプリント機能、及びファクシミリ機能等を有する多機能のデジタル複合機である。なお、本発明は、複数のパソコンで共用する単一機能の画像形成装置（プリンタ）にも適用可能である。
【００３８】
図１は、実施の形態１〜６の画像形成装置の外観を示す斜視図であり、図２は、画像形成装置の全体構成を示す縦断面図であり、図３は、画像形成装置の原稿給紙トレイを折りたたんで収納した状態を示す斜視図であり、図４は、画像形成装置の排紙トレイ上に積載された実施の形態１の画像形成済の記録紙の状態を示す斜視図であり、図５は、複数ページを複数部数画像形成された実施の形態１の記録紙の状態を示す斜視図であり、図６は、ファクシミリ受信データが画像形成された実施の形態１の記録紙の状態を示す斜視図である。
【００３９】
図１及び図２に示すように、画像形成装置１００は、受信部１１０、読取部１２０、画像形成部１３０、自動原稿給紙部１４０、排紙部１５０、第１の給紙部１７０、第２の給紙部１８０、ループ状の反転搬送部１９０等を備えている。
【００４０】
受信部１１０は、パソコンまたは記憶媒体（メモリカード）などの外部機器から専用ケーブルやＬＡＮ（無線ＬＡＮを含む）を介して画像情報を受信して取得する。また公衆回線を介してファクシミリによる画像情報を受信して取得する。
【００４１】
画像形成装置１００には、図示しないが、ＬＡＮケーブルが接続されるＬＡＮポート、公衆回線が接続されるモジュラージャック、メモリカードなどが装着されるカードスロットなどが備えられ、これらは受信部１１０に接続されている。
【００４２】
読取部１２０は、図２に示すように、画像形成部１３０の上方に配置されている。読取部１２０は、図１及び図２に示すように、オペレータの手操作で複写するシート原稿Ｓ又はブック原稿を載置する原稿載置台（コンタクトガラス）１２１、原稿載置台１２１上に設置され複写原稿を覆う原稿カバー１２２、複写原稿の画像情報を読み取って取得する撮像素子（ＣＩＳ）１２３等を備えている。原稿カバー１２２は、後述する自動原稿給紙部１４０の原稿排紙トレイを兼ねている。
【００４３】
画像形成部１３０は、画像形成装置１００の略中央部に配置されている。画像形成装置１００は、イエロー、マゼンタ、シアン、ブラックの４色のトナーでフルカラー画像を形成可能なカラー画像形成装置であり、画像形成部１３０は、４組の感光体１３１Ｙ、１３１Ｍ、１３１Ｃ、１３１Ｋ、帯電器１３２Ｙ他、現像装置１３３Ｙ他と、露光装置１３４、中間転写ベルト１３５、転写ローラ１３６、記録紙搬送ガイド１９４及び定着装置１３７等と、を備えている。画像形成部１３０は、受信部１１０や読取部１２０で取得された一群の画像情報に基づいて記録紙所定枚数に分けて画像を形成し、画像形成順に後述の排紙部１５０に送る。
【００４４】
自動原稿給紙装置１４０は、図１に示すように、読取部１２０の上方に配置されており、原稿給紙トレイ１４１、原稿搬送部１４２等を備えている。原稿給紙トレイ１４１は、自動給紙する複数ページのシート原稿Ｓを積載する。原稿給紙トレイ１４１に積載（セット）された複数ページのシート原稿Ｓは、原稿搬送部１４２によって１枚ずつ分離されて読取部１２０に給紙され、撮像素子１２３により複数ページの一群の画像情報が読取られる。画像情報の読取りを終えたシート原稿Ｓは、原稿排紙トレイを兼ねる原稿カバー１２２上に排紙されて積載される。
【００４５】
排紙部１５０は、正転することにより、画像形成部１３０から送られた画像形成済の記録紙Ｐｓを排紙トレイ１５１に排出したり、逆転することにより、画像形成部１３０から送られた画像形成済の記録紙Ｐｓを後述のループ状の反転搬送部１９０に戻したりする排紙ローラ１５２及び記録紙排紙ガイド板１９５等を備えている。画像形成部１３０で画像形成済の記録紙Ｐｓは、排紙部１５０の排紙ローラ１５２により、最終的に、原稿給紙トレイ１４１と原稿排紙トレイを兼ねる原稿カバー１２２との間に配置された排紙トレイ１５１上に排紙され、排紙順に下から上へ積載される。画像形成装置１００は、排紙トレイ１５１を複数配置したものであってもよい。
【００４６】
なお、画像形成装置１００は、図３に示すように、パソコンからのプリント出力時等のように、画像情報の読取りを行わない場合には、画像形成済の記録紙Ｐｓを取出しやすくするために、原稿給紙トレイ１４１を折畳めるようになっている。
【００４７】
記録紙を画像形成部１３０に送り込む（給紙する）第１の給紙部１７０は、図２に示すように、コピー用紙またはＯＨＰシートなどの記録媒体としての記録紙Ｐ１（本明細書及び特許請求の範囲において「記録紙」というときは、ＯＨＰシート等の紙以外の記録媒体を含むものとする。）が収容された第１給紙カセット１７１、第１給紙カセット１７１に収容されている記録紙Ｐ１を１枚ずつ分離して給紙する第１給紙ローラ１７２、給紙ガイド板１９１、記録紙搬送ガイド１９３及び記録紙を所定のタイミングで画像形成部１３０に給紙するレジストローラ１９２等を備えている。
【００４８】
第２の給紙部１８０は、第１の給紙部１７０と同様に、記録紙Ｐ２が収容された第２給紙カセット１８１及び第２給紙ローラ１８２等を備えている。
【００４９】
実施の形態１では、第１給紙カセットに収容する記録紙Ｐ１と第２給紙カセットに収容する記録紙Ｐ２とは、異なる外観の記録紙を用いる。具体的には、記録紙Ｐ１は白色の普通紙、記録紙Ｐ２は薄青色の普通紙を用いている。記録紙Ｐ２の色は他の色でもよい。
【００５０】
ループ状の反転搬送部１９０は、図２に示すように、画像形成部１３０で画像が形成された記録紙が排紙部１５０に到達し、排紙ローラ１５２の逆転により戻された記録紙Ｐｓを、記録紙後端部を前（先頭）にして戻された順に画像形成部１３０の上流側の給紙ガイド板１９１まで戻して第１の記録紙給紙部１７０に合流させ、結果的に記録紙Ｐｓを表裏反転させる反転搬送ローラ１９６及び反転搬送ガイド１９７等を備えている。
【００５１】
後端部を前にして給紙ガイド板１９１まで戻された画像形成済の記録紙Ｐｓは、画像形成部１３０の転写ローラ１３６、定着装置１３７及び排紙ローラ１５２により搬送され、表裏を反転させて排紙トレイ１５１上に排紙され積載される。
【００５２】
両面印刷を行なわない画像形成装置においては、反転搬送部１９０は、その後端部を画像形成部１３０の下流側、すなわち定着装置１３７の下流側に合流させてもよい。このようにすることにより、反転搬送部の経路を短くかつ簡素にして記録紙のひっかかり等を少なくすることができる。
【００５３】
図２に示すように、画像形成装置１００は、複数ジョブの画像情報のそれぞれを各ページ毎に分けて記憶する記憶部２１０を有し、読取部１２０、受信部１１０、記憶部２１０、記録紙給紙部１７０、１８０、画像形成部１３０、排紙部１５０及び反転搬送部１９０等を制御して記録紙所定枚数に亘る各ジョブの画像情報を記憶部２１０から読み出して複数枚の記録紙Ｐ１、Ｐ２に画像形成させ、排紙トレイ１５１に排紙させ積載させる、マイクロコンピュータを含む制御部２００を備えている。
【００５４】
図２では、記憶部２１０を有する制御部２００を、操作部１０２の近傍に設置しているが、制御部２００は、受信部１１０と一体のプリント基板上に設置するのがよい。また、画像形成装置１００に接続されたコンピュータ（パソコン）にインストールされたプリンタドライバを制御部２００としてもよい。
【００５５】
記憶部２１０は、読取部１２０や受信部１１０で取得した複数のジョブの各ジョブの画像情報のそれぞれを各ページ毎に分けて記憶し、制御部２００は、記憶部２１０から、ページ順に又は逆ページ順に読み出し、画像形成部１３０に出力する。操作部１０２は、読取部１２０の読取条件や出力部数を設定し制御部２００（記憶部２１０）に入力する。
【００５６】
次に、画像形成装置１００の実施の形態１の動作について説明する。画像形成装置１００は、コピー機能、ファクシミリ機能、及び、パソコン等の外部入力機器からの画像情報である印刷データを印刷するプリンタ機能の３つの機能を有している。
【００５７】
実施の形態１では、制御部２００による上記各部の制御により、次の５つのジョブの画像形成を順に行なう。
【００５８】
ジョブ１：パソコンから、２ページの印刷データを１部プリントする。
【００５９】
ジョブ２：パソコンから、２ページの印刷データを４部プリントする。
【００６０】
ジョブ３：パソコンから、３ページの印刷データを１部プリントする。
【００６１】
ジョブ４：ファクシミリ受信データを、２ページ出力する。
【００６２】
ジョブ５：３ページの複写原稿を１部コピー出力する。
【００６３】
ジョブ１では、パソコンから、２ページの印刷データを１部プリントする。図示しないパソコンからの印刷データを、ＬＡＮケーブルを通じて、受信部１１０に送信する。画像形成部１３０において、受信部１１０で受信し一旦記憶部２１０に記憶した印刷データを、制御部２００の制御による周知の電子写真方式による画像形成プロセスにより、第１の給紙部１７０から給紙する記録紙Ｐ１に印刷する。
【００６４】
まず、ジョブ１の第１ページ目の印刷データを、記憶部２１０から読み出し、４色のトナーに対応した各色毎の画像データに分割し、最初に、イエローの画像形成を行う感光体１３１Ｙの表面を帯電器１３２Ｙにより約−７００Ｖに一様に帯電させる。その後、感光体１３１Ｙ表面に、レーザー光学ユニットである露光装置１３４からレーザー光を照射し、イエローの画像データに応じた静電潜像を形成する。
【００６５】
露光装置１３４によってレーザー光が照射された感光体１３１Ｙの表面電位は、−１００Ｖ程度となる。その後、レーザー光が照射された部分にのみ、現像装置１３３Ｙ内のマイナスに帯電されたイエロートナーが現像されて感光体１３１Ｙ上に可視像が形成される。
【００６６】
次に、感光体１３１Ｙ上に現像されたイエロートナーを、プラスの電位を与えた中間転写ベルト１３５に一次転写する。イエローの画像形成に引き続き、マゼンタ、シアン及びブラックの各色の画像を、感光体１３１Ｍ、１３１Ｃ及び１３１Ｋの周囲に形成し、各色のトナーを順次中間転写ベルト１３５上に重ね合わせる。
【００６７】
中間転写ベルト１３５上に重ね合わせた４色のトナーを、転写ローラ１３６により、第１給紙カセット１７１から第１給紙ローラ１７２とレジストローラ１９２とにより給紙した記録紙Ｐ１に転写した後、定着装置１３７により約１７０℃の熱と圧力を加え、記録紙Ｐ１に溶融定着してフルカラー画像を形成する。その後、画像形成済の記録紙Ｐｓを、排紙ローラ１５２によって搬送し、図４に示すように、排紙トレイ１５１上に、画像形成面を下向きにして排出し積載する。
【００６８】
続いて、ジョブ１の第２ページ目の印刷データを、記憶部２１０から読み出し、同様に２ページ目の記録紙Ｐ１に画像形成し、第１ページ上に、同じく画像形成面を下向きにして排出するのであるが、ジョブ１の第２ページ目は、ジョブ１の最終ページなので、実施の形態１においては、図４に示すように、ジョブ１の第１ページ目とは排紙トレイ１５１上の異なる位置にシフトソートしてジョブ仕分けを行う。
【００６９】
すなわち、ジョブ１の最終ページである２ページ目を排出するとき、ジョブ仕分け手段としての制御部２００が、排紙ローラ１５２を通常時よりも高速に回転駆動して排出速度を切換え、画像形成済の記録紙Ｐｓを搬送方向（排紙方向）下流側に飛び出させ、１ページ枚目の排出位置からシフトして積載させるシフトソートを行う。
【００７０】
次に、パソコンから２ページの印刷データを４部プリントするジョブ２について説明する。パソコンからの印刷データを、各ページに分けてメモリ２１０に一旦記憶し、ジョブ１の場合と同様に、４色の画像データに分割して各色毎に画像形成し、第１の給紙部１７０から給紙した記録紙Ｐ１に転写、定着した後、排紙トレイ１５１上に排出するのであるが、ジョブ２のように、複数ページの印刷データを複数部数出力するときは、画像形成済の記録紙Ｐｓを排紙トレイ１５１から取出した後のオペレータの仕分け作業の負担を軽減するために、各部毎に画像形成済の記録紙Ｐｓの画像の向きを変換させて複数仕分けを行なう。
【００７１】
実施の形態１においては、図５に示すように、部数仕分け手段としての制御部２００が、第１部目の２ページは通常の画像形成と排紙を行い、第２部目の２ページは、画像全体を記録紙の垂線回りに１８０°回転させて画像形成し、向きソートして第１部目と同じ位置に排紙する。第３部目は第１部目と同じく通常の画像形成と排紙を行い、第４部目は第２部目と同じく画像データを１８０°回転させて画像形成し向きソートして排紙する。
【００７２】
このように、偶数部目の画像を記録紙の垂線回りに１８０°回転させて奇数部目の記録紙と画像の向きを異ならせて向きソートして部数仕分けを行なうことにより、オペレータが画像形成済の記録紙Ｐｓを取出した後の各部数毎の仕分けがしやすく、仕分け作業の負担が軽減される。
【００７３】
また、第４部目の第２ページ目は、ジョブ２の最終ページであるので、ジョブ１の第２ページ目と同様に、排紙ローラ１５２を高速回転させて、他の記録紙よりも飛び出させて排出するシフトソートを行ない、ジョブ仕分けを行うようにする。
【００７４】
続いて、ジョブ３の３ページの印刷データを１部プリントするときには、ジョブ１と同様に、第１の給紙部１７０から給紙される記録紙Ｐ１に３ページ分の印刷データが画像形成され、ジョブ３の最終ページである３ページ目のみを他の記録紙よりも飛び出させて排出し、ジョブ仕分けを行なう。
【００７５】
ジョブ４では、ファクシミリ受信データを２ページ印刷するが、オペレータが意識して操作することによって記録紙が出力されるパソコンからのプリンタ出力やコピーの場合と異なり、ファクシミリ受信の出力は、外部の公衆回線から送られてきたデータを画像形成装置１００が自動的に出力するので、画像形成装置１００の置かれているオフィスのオペレータに見過ごされやすく、そのまま放置されることが少なくない。
【００７６】
実施の形態１では、特定のジョブとしてのファクシミリ受信データの出力用紙を識別しやすくするために、コピーやプリンタ出力とは外観の異なる記録紙を使用する。具体的には、図２に示す第２の給紙部１８０の第２給紙カセット１８１に収容する記録紙Ｐ２を青薄色の普通紙としておき、ジョブ仕分け手段としての制御部２００による第２の給紙部１８０の制御により、ファクシミリ受信データを画像形成するときにのみ、第２給紙ローラ１８２によって記録紙Ｐ２を画像形成部１３０に送り出すようにする。
【００７７】
記録紙Ｐ２は、ファクシミリ受信データにより画像形成されたのち、ジョブ１〜３と同様に、排紙ローラ１５２によって排紙トレイ１５１上に積載される。このとき、ジョブ４の最終ページであるファクシミリ受信データの第２ページ目のみを飛び出させて排出する。
【００７８】
ファクシミリ受信データは、ブラックの感光体１３１Ｋとブラックの現像装置１３３Ｋのみを使用し、モノクロ単色画像として、出力されるのが一般的である。そこで、ファクシミリ受信データを出力するための記録紙Ｐ２が、用紙切れなどにより、第２給紙カセット１８１内にセットされていないときには、他の出力に使用するための第１給紙カセット１７１内にセットされている記録紙Ｐ１を用いて画像形成を行う。このとき、図６に示すように、ジョブ仕分け手段としての制御部２００による画像形成部１３０の制御により、画像形成面全面にシアン色にて薄色の背景画像をファクシミリ受信データと合成して画像形成を行う。
【００７９】
薄青色の記録紙Ｐ２が用紙切れのときでも、画像形成済の記録紙Ｐｓの全面をシアン色にすることにより、ファクシミリ受信データの出力であることを、オペレータが容易に認識することができる。記録紙Ｐ２の用紙切れという条件をつけずに、ファクシミリ出力については、常に、薄色の背景画像をファクシミリ受信データと合成して画像形成を行うようにしてもよい。
【００８０】
ジョブ４に続き、ジョブ５で３ページの複写原稿を１部コピーするときは、図１に示すように、３ページのシート原稿Ｓを原稿給紙トレイ１４１にコピー面を上向きにしてセットする。その後、画像形成装置１００の上部手前に設けられた操作部１０２のコピーボタンを押し、自動原稿給紙装置１４０の原稿搬送部１４２によって、シート原稿Ｓが順次読取り部１２０に送り込まれ、シート原稿Ｓの画像情報がメモリ２１０に一旦蓄積される。
【００８１】
その後、ジョブ１と同様に、３ページのコピーが順次画像形成されて、排紙トレイ１５１上に排出され積載される。このとき、他のジョブと同様に、最終ページである３ページ目のみを飛び出させて排出し積載する。
【００８２】
従って、最終的に５つのジョブを終了した時点で、全ての画像形成済の記録紙Ｐｓは、図４に示すように、それぞれのジョブが、飛び出して積層された各ジョブの最終ページにより仕分けされており、オペレータは、画像形成済の記録紙Ｐｓを取出すときに、自分の必要とする記録紙Ｐｓを容易に識別することが可能である。
【００８３】
各ジョブの最終ページの記録紙Ｐｓのみが、他の記録紙Ｐｓとは異なる位置にシフトソートされているので、例えば、オペレータによってジョブ３の３ページの記録紙Ｐｓが取り出されたとしても、ジョブ２とジョブ４の境界を容易に識別することができる。
【００８４】
また、ジョブ２の記録紙Ｐｓは、１部毎にその画像データが記録紙の垂線回りに１８０°回転した状態で積載されているため、記録紙Ｐｓを取出したときの１部毎の区切りが識別しやすく、部数仕分け作業の負担が軽減される。
【００８５】
また、ファクシミリ受信データが画像形成された記録紙Ｐｓは、記録紙Ｐｓそのものが薄青色であることに加えて、最終ページが飛び出して積載されていることにより、どのオペレータにも、ファクシミリ受信であることが容易に認識されるので、見過ごすことなく、速やかに取出して、宛先に配布することができる。
【００８６】
さらには、ファクシミリ受信データを出力するための薄青色の記録紙Ｐ２が、用紙切れによって第２給紙カセット内にセットされていないときにも、画像形成面全面にシアン色で薄色の背景画像をファクシミリ受信データと合成して画像形成することにより、ファクシミリ受信であることを容易に認識することができる。
【００８７】
実施の形態１において、シアン色の薄色背景画像を画像形成面全面に合成印刷したが、ファクシミリ受信データであることを示す識別マークを記録紙Ｐ１の一部にのみ合成印刷するようにしてもよい。記録紙Ｐ１の一部にのみ識別マーク（例えば、「ＦＡＸ」文字）を合成印刷した場合でも、各ジョブの最終ページの排紙位置を異ならせてジョブ仕分けをしているので、ファクシミリ受信データであることを容易に識別することができる。
【００８８】
また、実施の形態１において、各ジョブの最終ページの記録紙を飛び出させ、他のページの記録紙とは異なる位置にシフトソートすることによって、ジョブ仕分けを行ったが、各ジョブの先頭ページの記録紙を他のページの記録紙と異なる位置にシフトソートし積載することによってジョブ仕分けを行なうようにしてもよい。
【００８９】
また、ジョブ仕分けを行なうジョブ仕分け手段として、記録紙Ｐｓを排紙トレイ１５１上に排出するときに記録紙Ｐｓの左右方向位置（幅方向位置）を変えることのできる左右シフト装置としてのドギーテイル装置（図示せず）を排紙部１５０に設け、制御部２００の制御により、各ジョブの画像形成された記録紙の最終ページ又は先頭ページの排紙トレイ１５１への排出位置を、他のページの排出位置より左又は右にシフトして積載させるようにしてもよい。
また、各ジョブの画像形成された記録紙全てを各ジョブ毎に排紙方向の上流側と下流側とに交互にシフトして積載させることによってジョブ仕分けを行なうようにしてもよい。
【００９０】
実施の形態１の画像形成装置１００は、反転搬送部１９０を備えなくてもよい。
（実施の形態２）
次に、図２及び図７を参照して、本発明の実施の形態２の画像形成装置１００について説明する。図７は、複数ページを複数部数画像形成された実施の形態２の記録紙の状態を示す概略斜視図である。実施の形態２は、実施の形態１のジョブ２における２ページの印刷データを４部プリンタ出力するときの部数仕分けを、部数仕分け手段としての制御部２００が反転搬送部２００を切換え制御して、画像形成面の向きを下向きと上向きとに切換えて向きソートすることにより行うものである。
【００９１】
図７に示すように、ジョブ２の第１部目の２ページは、実施の形態１と同様に、画像形成された面を下向きにして、排紙トレイ１５１上に排出され積載される（第１の搬送制御）。
【００９２】
次に、第２部目の２ページの印刷を行う場合は、印刷データの第２ページ目を先に記録紙に画像形成する。画像形成済の記録紙Ｐｓが排紙ローラ１５２によって搬送され、記録紙Ｐｓの後端部が定着装置１３７の下流の搬送経路合流部１９８を通過すると、直ちに排紙ローラ１５２を逆回転させ、記録紙Ｐｓの後端部を先頭にして反転搬送ローラ１９６に送り込む。
【００９３】
反転搬送ローラ１９６及び反転搬送ガイド１９７により、記録紙Ｐｓを反転搬送部１９０の上部から下部へ搬送して画像形成面を反転させ、再び、レジストローラ１９２、転写ローラ１３６及び定着装置１３７を経由させ、画像形成面を上向きにして排紙ローラ１５２により排紙トレイ１５１上に排出し積載する。
【００９４】
続いて、印刷データの第１ページ目の画像形成を行ない、前記と同様にして、画像形成面を上向きにして排紙トレイ１５１上に排出し積載する（第２の搬送制御）。第３部目の出力は、第１部目と同様に画像形成面を下向きにして排出・積載し（第１の搬送制御）、第４部目の出力は、第２部目と同様に画像形成面を上向きにして排出・積載する（第２の搬送制御）。
【００９５】
以上のようにして排出・積載したジョブ２の画像形成済の記録紙Ｐｓは、部数仕分け手段としての制御部２００による反転搬送部１９０の第１、第２の搬送制御の切換えにより、画像形成面の向きが、各部数毎に下向き・上向き交互に積載されるため、ジョブ２における各部毎の区分が識別しやすく、部数仕分けの作業負担が軽減される。
（実施の形態３）
次に、図８及び図９を参照して、本発明の実施の形態３の画像形成装置１００について説明する。図８は、画像形成装置の排紙トレイ上に積載された実施の形態３の画像形成済の記録紙の状態を示す斜視図であり、図９は、ファクシミリ受信データが画像形成された実施の形態３の記録紙の状態を示す平面図である。
【００９６】
実施の形態３は、ジョブ仕分けを行なうジョブ仕分け手段として、記録紙Ｐｓを排紙トレイ１５１上に排出するときに記録紙Ｐｓの左右方向位置（幅方向位置）を変えることのできる左右シフト装置としてのドギーテイル装置（図示せず）を排紙部１５０に設け、制御部２００の制御により、ジョブ毎に右寄せ排紙と左寄せ排紙とを切換えるシフトソートを行なうものである。
【００９７】
図８に示すように、奇数ジョブ（ジョブ１、３、５、・・・）の画像形成済の記録紙Ｐｓを全て左寄せにシフトして排出し、偶数ジョブ（ジョブ２、４、６、・・・）の画像形成済の記録紙Ｐｓを全て右寄せにシフトして排出することにより、ジョブ仕分けを行う。
【００９８】
実施の形態３においても、ジョブ２において２ページの印刷データを４部プリントするときの部数仕分けのために、形成画像の前後方向の向きを各部毎に１８０°回転させる実施の形態１の部数仕分け方法、もしくは、画像形成面の向きを各部毎に下向き・上向き交互に積載する実施の形態２の部数仕分け方法を採用することにより、複数部出力の場合もオペレータが各部の区分を容易に識別することができる。
【００９９】
また、ファクシミリ受信データを出力する記録紙Ｐ２として、図８に示すように、記録紙角部を一部カットしたコーナーカット紙を使用する。
【０１００】
このとき、ファクシミリ受信データを出力するための記録紙Ｐ２が、用紙切れなどにより、第２給紙カセット１８１内にセットされていない場合には、第１給紙カセット１７１にセットされている記録紙Ｐ１を給紙して画像形成を行う。この場合、図９に示すように、画像形成面の角部にファクシミリ受信データであることを示す識別マークとしての「ＦＡＸ」マークをファクシミリ受信データと合成して画像形成を行う。
【０１０１】
実施の形態３においても、排出される各ジョブ毎の記録紙Ｐｓが、左右シフト装置（ドギーテイル装置）により排紙トレイ１５１の左右に仕分けされるので、オペレータは、必要とする記録紙Ｐｓを容易に識別することができる。
【０１０２】
また、ファクシミリ受信データを出力する記録紙Ｐｓとして、コーナーカット紙を用いることにより、オペレータは、ファクシミリ受信であることを容易に識別することができる。さらに、ファクシミリ受信データ出力用のコーナーカット紙が用紙切れの場合には、「ＦＡＸ」マークが画像形成されるので、ファクシミリ受信であることを容易に識別することができる。
（実施の形態４）
次に、図１０〜図１２を参照して、本発明の実施の形態４の画像形成装置１００について説明する。図１０は、画像形成装置の排紙トレイ上に積載された実施の形態４の画像形成済の記録紙の状態を示す斜視図であり、図１１は、画像形成された記録紙の実施の形態４の画像の向きを示す平面図であり、図１２は、複数ページの記録紙を複数部数出力するジョブの実施の形態４に係る記録紙の画像の向きを示す斜視図である。
【０１０３】
実施の形態４は、ジョブ仕分けを行なうジョブ仕分け手段として、実施の形態３と同様に、記録紙Ｐｓを排紙トレイ１５１上に排出するときに記録紙Ｐｓの左右方向位置を変えることのできる図示しない左右シフト装置を排紙部１５０に設け、制御部２００の制御により、ジョブ毎に右寄せ排紙と左寄せ排紙とを切換えるシフトソートを行なうものである。
【０１０４】
また、同一ジョブの記録紙を排紙トレイ１５１上の同じ位置に排出し、かつ、右寄せ又は左寄せの同じ位置に排出された直前のジョブの記録紙の前後方向の画像向きとは１８０°回転させた画像向きに排出する。さらに、同一ジョブの部数仕分けは、画像形成面の向きを各部毎に下向き・上向き交互に積載することにより行なう。
【０１０５】
実施の形態４では、制御部２００の制御により、次の５つのジョブの画像形成を順に行なう。
【０１０６】
ジョブ１：パソコンから、２ページの印刷データを１部プリントする。
【０１０７】
ジョブ２：ファクシミリ受信データを、３ページ出力する。
【０１０８】
ジョブ３：パソコンから、４ページの印刷データを１部プリントする。
【０１０９】
ジョブ４：パソコンから、２ページの印刷データを１部プリントする。
【０１１０】
ジョブ５：２ページの複写原稿を２部コピー出力する。
【０１１１】
ジョブ１では、画像形成済の記録紙Ｐｓを、画像形成面を下向き（すなわちフェースダウン）にして排紙トレイ１５１上に排紙し積載する。このとき、図示しない左右シフト装置によって、図１０に示すように、ジョブ１に係る２ページの画像形成済の記録紙Ｐｓを、全て排紙トレイ１５１の左側に排出して積載する。
【０１１２】
次に、ジョブ２では、ファクシミリ受信データを画像形成した３ページの記録紙Ｐｓを、フェースダウンで排紙トレイ１５１の右側に排出して積載する。ジョブ１の記録紙とジョブ２の記録紙とは、各ジョブの記録紙Ｐｓの排紙トレイ１５１上での積載位置が左右方向にシフトされることにより仕分けされる。
【０１１３】
次に、ジョブ３では、４ページの記録紙Ｐｓを、同様にフェースダウンで排紙トレイ１５１の左側に排出するが、このとき、図１１に示すように、排紙トレイ１５１上の同じ左側位置に排出されている直前のジョブ、すなわちジョブ１の記録紙Ｐｓの画像の前後方向向きとは異なる向きに排出する。具体的には、ジョブ３では、形成画像全体を記録紙の垂直軸回りに１８０°回転させて画像形成し、前後方向の向きをジョブ１とは逆にする。
【０１１４】
続いてジョブ４では、２ページの記録紙Ｐｓを、同様にフェースダウンで排紙トレイ１５１の右側に排出するが、このとき、図１１に示すように、排紙トレイ１５１上の同じ右側位置に排出されている直前のジョブ、すなわちジョブ２の記録紙Ｐｓの画像の前後方向向きとは異なる向きに排出する。具体的には、ジョブ４では、形成画像全体を記録紙の垂直軸回りに１８０°回転させて画像形成し、前後方向の向きをジョブ２とは逆にする。
【０１１５】
続いてジョブ５では、合計４ページの記録紙Ｐｓを、同様にフェースダウンで排紙トレイ１５１の左側に排出するが、このとき、図１１に示すように、排紙トレイ１５１上の同じ左側位置に排出されている直前のジョブ３の記録紙Ｐｓとは、画像の前後方向向きを逆にして出力する。
【０１１６】
また、ジョブ５においては、２ページの複写原稿を２部コピー出力するので、図１２に示すように、第１部目の２ページは、画像形成面が下向きのフェースダウンで出力し、第２部目の２ページは、画像形成面が上向きのフェースアップで出力することにより、第１部目と第２部目の画像形成面の上下方向向きを異ならせて、各部別の区分を行なう。
【０１１７】
実施の形態４においても、各ジョブの画像形成済の記録紙Ｐｓが、排紙トレイ１５１上で左右方向に異なる位置に仕分けされるので、オペレータは、必要とする記録紙Ｐｓを容易に識別することができる（実施の形態４において、各ジョブの画像形成済の記録紙Ｐｓを、各ジョブ毎に排紙方向の上流側と下流側とに交互にシフトして積載させることによってジョブ仕分けを行なうようにしてもよい。）。
【０１１８】
さらに、一つのジョブ、例えばジョブ３の記録紙Ｐｓが、オペレータによって排紙トレイ１５１から取り出され、排紙トレイ１５１上の同じ位置に積載されたジョブ２の記録紙とジョブ４の記録紙とが重なってしまったときにも、ジョブ２の記録紙とジョブ４の記録紙とでは、画像の前後方向向きが１８０°回転されて異なっているため、その区切りを容易に識別することができる。
【０１１９】
また、ジョブ５の部数仕分けが、フェースダウンとフェースアップという、ジョブ２とジョブ４を区別する画像の前後方向向きとは異なる上下方向向きによって仕分けされているので、部数仕分けも容易に行うことができ、ジョブ仕分けと部数仕分けとが混同されることはなく、オペレータの仕分け作業の負担を大きく軽減することができる。
【０１２０】
なお、実施の形態４においては、排紙トレイ１５１上の左右方向（上流・下流方向）の同じ位置に積載されるジョブ仕分けのために、記録紙垂直軸回りに形成画像を１８０°回転させ、部数仕分けのために、各部毎に画像形成面を上向き下向き交互に積載させたが、ジョブ仕分けのために、画像形成面を上向き下向き交互に積載させ、部数仕分けのために、記録紙垂直軸回りに形成画像を１８０°回転させてもよい。
（実施の形態５）
次に、図１３〜図１５を参照して、本発明の実施の形態５の画像形成装置１００について説明する。図１３は、画像形成装置の排紙トレイ上に積載された実施の形態５の画像形成済の記録紙の状態を示す斜視図であり、図１４は、画像形成された記録紙の実施の形態５の画像の向きを示す平面図であり、図１５は、複数ページの記録紙を複数部数出力するジョブの実施の形態５に係る記録紙の画像の向きを示す斜視図である。
【０１２１】
実施の形態５は、実施の形態１と同様に、記録紙を排出するときに、排紙ローラ１５２の回転速度を上げることにより、画像形成済の記録紙Ｐｓを、搬送方向下流側に飛び出させるシフトソートを採用している。
【０１２２】
また、実施の形態５は、予め設定された特定のジョブであるファクシミリ受信データ出力に係る記録紙Ｐｓのみを、他のジョブに係る記録紙Ｐｓとは異なる下流側位置に排出し、かつ、排紙トレイ１５１上の同じ位置に、後から排出されるジョブの記録紙の前後方向向きを、直前に排出されたジョブの記録紙の向きとは異なる向きに排出することにより、ジョブ仕分けを行う。
【０１２３】
さらに、一つのジョブが複数ページかつ複数部数のとき、ジョブ仕分けに用いた記録紙Ｐｓの前後方向向きの１８０°変換とは異なる、記録紙面の上下方向向きの変換により、部数仕分けを行う。
【０１２４】
実施の形態５では、制御部２００の制御により、次の６つのジョブの画像形成を順に行なう。
【０１２５】
ジョブ１：パソコンから、２ページの印刷データを１部プリントする。
【０１２６】
ジョブ２：ファクシミリ受信データを、３ページ出力する。
【０１２７】
ジョブ３：パソコンから、２ページの印刷データを１部プリントする。
【０１２８】
ジョブ４：パソコンから、２ページの印刷データを２部プリントする。
【０１２９】
ジョブ５：ファクシミリ受信データを、１ページ出力する。
【０１３０】
ジョブ６：２ページの複写原稿を１部コピー出力する。
【０１３１】
各ジョブの記録紙Ｐｓは、複数ページかつ複数部数である場合を除き、全て画像形成面を下向き（すなわちフェースダウン）にして排紙トレイ１５１上に排紙し積載する。
【０１３２】
ジョブ１の２ページのパソコンからの出力は、図１３及び図１４に示すように、搬送方向（前後方向）下流側に形成画像の先頭部を向け、排紙トレイ１５１上の搬送方向上流側に排出し積載する。
【０１３３】
次に、ジョブ２の３ページのファクシミリ受信データ出力は、搬送方向下流側に形成画像の先頭部を向け、特定ジョブ仕分け手段により排紙ローラ１５２の回転速度を上げることにより、排紙トレイ１５１上の搬送方向下流側に排出し積載する（特定ジョブ仕分け手段としての左右シフト装置を設け、右又は左にシフトソートするようにしてもよい。）。
【０１３４】
ジョブ３の２ページのパソコンからの出力は、ジョブ１と同様に、排紙トレイ１５１上の搬送方向上流側に排出するが、図１４に示すように、同じ位置に排出した直前のジョブ、すなわちジョブ１の形成画像の先頭部の向きとは異なる前後方向向きとなるように、画像データを１８０°回転させて画像形成して出力する。
【０１３５】
次のジョブ４も、パソコンからの出力であるので、画像形成済の記録紙Ｐｓを、排紙トレイ１５１上の搬送方向上流側に排出するが、やはり、排紙トレイ１５１上の同じ位置に排出した直前のジョブ、すなわちジョブ３の画像の前後方向向きとは異なる向きとなるように、画像データをさらに１８０°回転させて画像形成し出力する。このとき、ジョブ４の前後方向画像向きとジョブ１の向きとは同じ向きとなる。
【０１３６】
ジョブ４は、２ページのデータを２部出力するジョブであり、このように複数ページでかつ複数部数の出力を行うジョブの場合、図１５に示すように、第１部目は画像形成面を下向き（すなわちフェースダウン）にして排出し、第２部目は画像形成面を上向き（すなわちフェースアップ）にして排出する。
【０１３７】
次のジョブ５は、ファクシミリ受信データの出力であり、ジョブ２と同様に、排紙トレイ１５１上の搬送方向下流側に排出する。このとき、排紙トレイ１５１上の同じ位置に排出した直前のジョブ、すなわちジョブ２の前後方向画像向きとは異なる向きとなるように、画像データを１８０°回転させて画像形成し出力する。
【０１３８】
最後に、ジョブ６のコピー出力は、図１３に示すように、排紙トレイ１５１上の搬送方向上流側に排出する。このとき、排紙トレイ１５１上の同じ位置に排出された直前のジョブ、すなわちジョブ４の前後方向画像向きとは異なる向きとなるように、画像データをさらに１８０°回転させて画像形成し出力する。
【０１３９】
このように、予め設定した特定のジョブであるファクシミリ受信データの出力のみ、他のジョブとは異なる排紙トレイ上の下流側（左又は右側）位置に記録紙Ｐｓが排出されるため、ファクシミリ受信があったことがすぐに認識され、排紙トレイ１５１上に長く放置されることが回避される。
【０１４０】
また、排紙トレイ１５１上の同じ位置に排出されるファクシミリ受信データ以外の出力、すなわちジョブ１、ジョブ３，ジョブ４、ジョブ５の出力が、交互に前後方向画像向きを１８０°回転させて画像形成されるため、ジョブ仕分けが容易となる。
【０１４１】
さらに、複数ページかつ複数部数のジョブ４の部数仕分けが、フェースダウンとフェースアップという、ジョブを仕分けする前後方向画像向きとは異なる上下方向紙面向きによって仕分けられるので、部数仕分けも容易に行うことができ、ジョブ仕分けと部数仕分けとが混同されることがなく、オペレータの仕分け作業の負担を大きく軽減できる。
【０１４２】
なお、実施の形態５においては、排紙トレイ１５１上の同じ位置に排出されるジョブの仕分けに画像データを１８０°回転させて前後方向の画像向きを変え、部数仕分けに各部毎に上下方向に記録紙面の向きを変えたが、ジョブの仕分けとして上下方向に記録紙面の向きを変え、部数仕分けとして前後方向に画像向きを変えてもよい。
【０１４３】
また実施の形態５では、画像データを１８０°回転させるジョブ仕分けと、上下方向に紙面向きを交互に変える複数部区分との両方を備えたが、いずれか一方の機能のみを備えたものであってもよい。
（実施の形態６）
次に、図１６及び図１７を参照して、本発明の実施の形態６の画像形成装置１００について説明する。図１６は、画像形成装置の排紙トレイ上に積載された実施の形態６の画像形成済の記録紙の状態を示す斜視図であり、図１７は、複数ページの記録紙を複数部数出力するジョブの実施の形態６に係る記録紙の画像の向きを示す斜視図である。
【０１４４】
実施の形態５は、シフトソート手段として、実施の形態３と同様に、記録紙Ｐｓを排出するときに排紙トレイ１５１上の左右方向（幅方向）位置を変えることのできる左右シフト装置を記録紙排紙部１５０に設け、ジョブ毎に右寄せ排紙と左寄せ排紙を切換えるシフトソートを採用している。また、実施の形態１と同様に、各ジョブの最終ページのみを排紙トレイ１５１上の他のページの排出位置とは異なる左右位置に排出する。
【０１４５】
実施の形態６では、制御部２００の制御により、次の５つのジョブの画像形成を順に行なう。
【０１４６】
ジョブ１：パソコンから、２ページの印刷データを１部プリントする。
【０１４７】
ジョブ２：パソコンから、２ページの印刷データを４部プリントする。
【０１４８】
ジョブ３：パソコンから、３ページの印刷データを１部プリントする。
【０１４９】
ジョブ４：ファクシミリ受信データを、２ページ出力する。
【０１５０】
ジョブ５：３ページの複写原稿を１部コピー出力する。
【０１５１】
各ジョブの記録紙Ｐｓは、複数ページかつ複数部数である場合を除き、全て画像形成面を下向き（すなわちフェースダウン）にして排紙トレイ１５１上に排紙し積載する。
【０１５２】
図１６に示すように、ジョブ１の第１ページ目は、排紙トレイ１５１上の右側に排出し、最終ページである２ページ目は、排紙トレイ１５１上の左側に排出する（左右逆であってもよい）。
【０１５３】
次に、ジョブ２では、図１７に示すように、１部ずつ１ページ目と２ページ目を順に４部、画像形成面を下向きにして出力し、ジョブ２の最終ページである８ページ目のみ、排紙トレイ１５１上の左側に排出する（左右逆であってもよい）。
【０１５４】
ジョブ３、４、５においても同様に、各ジョブの最終ページのみ排紙トレイ１５１上の左側に排出する（左右逆であってもよい）。また、各ジョブの先頭ページのみを左右にシフトソートしてもよい。
【０１５５】
また、各ジョブの最終ページ又は先頭ページのみを左右にシフトソートするのではなく、各ジョブ毎に左右にシフトソートしてもよい。各ジョブ毎に排紙方向の上流側と下流側とに交互にシフトソートしてもよい。
【０１５６】
実施の形態６では、シフトソートをジョブ仕分けにのみ適用し、部数仕分けには適用しない。シフトソートをジョブ仕分けと部数仕分けの両方に適用して、２つの仕分けが混同されるおそれのある従来の装置に比べて、シフトソートをジョブ仕分けにのみ適用することにより、混同を避けることができる。
【０１５７】
実施の形態６の画像形成装置１００は、実施の形態１〜５と比較し、画像の向きの変換による部数仕分けの機能を有していないが、画像の向きの制御手段を必要としない分だけ、装置を安価にすることができる。複数部数の出力頻度が低いユーザーであれば、１部ずつページ順に出力する、いわゆる電子ソートの機能により仕分け作業を軽減することができる。
【０１５８】
なお、上述の実施の形態１〜６の説明においては、全て片面印刷の場合について説明したが、記録紙の両面にそれぞれ異なる画像を印刷する両面印刷の場合にも、本発明を適用することができる。
【０１５９】
また、実施の形態１〜６においては、コピー機能、プリント機能、ファクシミリ機能の全ての機能について、ジョブ仕分けを行ったが、コピーの場合にはオペレータが必ず装置の近くで操作することに鑑み、コピーの場合には、ジョブ仕分けのためにシフトソートを行なわずに、部数仕分けのために各部毎に画像データを１８０°回転させる画像向き変換のみを行なってもよい。
【０１６０】
また、実施の形態１〜６の画像形成装置１００は、図２に示すように、中間転写ベルト１３５が、給紙部１７０から給紙された記録紙Ｐ１の図２の左側面に画像を転写し、排紙部１５０から画像形成面を下向きにして排出するものであるが、画像形成装置としては、図２に示すものとは構造が異なり、中間転写ベルト１３５が、給紙部１７０から給紙された記録紙Ｐ１の図２の右側面に画像を転写し、排紙部１５０から画像形成面を上向きにして排出する上向き排紙の画像形成装置であってもよい。
【産業上の利用可能性】
【０１６１】
本発明に係る画像形成装置は、オペレータが自分の必要とする記録紙を容易に識別して取り出すことができ、また、複数ページの印刷データを複数部出力するときに、各部ごとの区分も識別しやすく、記録紙の仕分け作業の負担を大きく軽減することができるので、コピー、ファクシミリ、プリンタ等の複数機能を有するデジタル複合機、及び、ネットワーク接続によって複数のオペレータが各々のパソコンから画像データを出力するネットワークプリンタ等の画像形成装置として有用である。
【図面の簡単な説明】
【０１６２】
【図１】本発明の実施の形態の画像形成装置の外観を示す斜視図
【図２】画像形成装置の全体構成を示す縦断面図
【図３】画像形成装置の原稿給紙トレイを折りたたんで収納した状態を示す斜視図
【図４】画像形成装置の排紙トレイ上に積載された実施の形態１の画像形成済の記録紙の状態を示す斜視図
【図５】複数ページを複数部数画像形成された実施の形態１の記録紙の状態を示す斜視図
【図６】ファクシミリ受信データが画像形成された実施の形態１の記録紙の状態を示す斜視図
【図７】複数ページを複数部数画像形成された実施の形態２の記録紙の状態を示す概略斜視図
【図８】画像形成装置の排紙トレイ上に積載された実施の形態３の画像形成済の記録紙の状態を示す斜視図
【図９】ファクシミリ受信データが画像形成された実施の形態３の記録紙の状態を示す平面図
【図１０】画像形成装置の排紙トレイ上に積載された実施の形態４の画像形成済の記録紙の状態を示す斜視図
【図１１】画像形成された記録紙の実施の形態４の画像の向きを示す平面図
【図１２】複数ページの記録紙を複数部数出力するジョブの実施の形態４に係る記録紙の画像の向きを示す斜視図
【図１３】画像形成装置の排紙トレイ上に積載された実施の形態５の画像形成済の記録紙の状態を示す斜視図
【図１４】画像形成された記録紙の実施の形態５の画像の向きを示す平面図
【図１５】複数ページの記録紙を複数部数出力するジョブの実施の形態５に係る記録紙の画像の向きを示す斜視図
【図１６】画像形成装置の排紙トレイ上に積載された実施の形態６の画像形成済の記録紙の状態を示す斜視図
【図１７】複数ページの記録紙を複数部数出力するジョブの実施の形態６に係る記録紙の画像の向きを示す斜視図
【符号の説明】
【０１６３】
１００    画像形成装置
１１０    受信部
１２０    読取部
１３０    画像形成部
１３１Ｙ，１３１Ｍ，１３１Ｃ，１３１Ｋ    感光体
１３２    帯電器
１３３    現像装置
１３４    露光装置
１３５    中間転写ベルト
１３６    転写ローラ
１３７    定着装置
１４０    自動原稿給紙装置
１４１    原稿給紙トレイ
１５０    排紙部
１５１    排紙トレイ
１５２    排紙ローラ
１７０    第１の給紙部
１８０    第２の給紙部
１９０    反転搬送部（部数仕分け手段、ジョブ仕分け手段）
１９２    レジストローラ
１９６    反転搬送ローラ
２００    制御部（ジョブ仕分け手段、部数仕分け手段）
２１０    記憶部
Ｓ    シート原稿
Ｐ１、Ｐ２    記録紙（記録媒体）
Ｐｓ    画像形成済の記録紙
【図１】
2007218962.tif 000003
【図２】
2007218962.tif 000004
【図３】
2007218962.tif 000005
【図４】
2007218962.tif 000006
【図５】
2007218962.tif 000007
【図６】
2007218962.tif 000008
【図７】
2007218962.tif 000009
【図８】
2007218962.tif 000010
【図９】
2007218962.tif 000011
【図１０】
2007218962.tif 000012
【図１１】
2007218962.tif 000013
【図１２】
2007218962.tif 000014
【図１３】
2007218962.tif 000015
【図１４】
2007218962.tif 000016
【図１５】
2007218962.tif 000017
【図１６】
2007218962.tif 000018
【図１７】
2007218962.tif 000019